(57)【要約】【課題】撮像装置の姿勢による操作感の違いを抑制する。【解決手段】本体側筐体３００の上面３１０、および、上面３１０と隣接する対向面３２０にそれぞれ第１レリーズボタン３１１と第２レリーズボタン３２１とを設けた。これにより、電子カメラ１の姿勢が横位置や縦位置に変化してもレリーズボタンの操作感が変わらず、操作感の違いによる違和感をユーザに与えない。また、操作感が変化しないので、電子カメラ１の姿勢に関わらず撮像し易く、撮像される画像の画質向上も期待できるとともに、後付けのグリップ等が不要となるので、電子カメラ１を大型化しなくて済む。【選択図】図２
2008064874.tif 000002
【特許請求の範囲】
【請求項１】
把持部を有する第１の筐体と、
レンズ鏡筒を有し、前記第1の筐体に対して前記レンズ鏡筒の光軸方向と略直交する回転軸心を中心として回動可能に取り付けられた第２の筐体と、
前記第２の筐体に面する前記第１の筐体の第1面に設けられた第１のレリーズボタンと、
前記第１面に隣接する前記第１の筐体の第２面に設けられた第２のレリーズボタンとを備えることを特徴とする撮像装置。
【請求項２】
請求項1に記載の撮像装置において、
前記第1の筐体の姿勢を検出する検出手段と、
前記検出手段によって前記第1の筐体が第1の姿勢であることを検出すると前記第１のレリーズボタンの操作を有効とするとともに前記第２のレリーズボタンの操作を無効とし、前記検出手段によって前記第1の筐体が第２の姿勢であることを検出すると前記第１のレリーズボタンの操作を無効とするとともに前記第２のレリーズボタンの操作を有効とするレリーズボタン設定手段とをさらに備えることを特徴とする撮像装置。
【請求項３】
請求項２に記載の撮像装置において、
撮像装置の所定の機能がそれぞれ割り当てられた複数の操作部材と、
前記検出手段によって検出された前記第１の筐体の姿勢が前記第１の姿勢であるか前記第２の姿勢であるかによって、前記複数の操作部材のうちの任意の操作部材について、操作を有効とするか無効とするかを切り替える切換手段をさらに備えることを特徴とする撮像装置。
【請求項４】
請求項２に記載の撮像装置において、
撮像装置の所定の機能がそれぞれ割り当てられた複数の操作部材と、
前記検出手段によって検出された前記第1の筐体の姿勢が前記第1の姿勢であるか前記第２の姿勢であるかによって、前記複数の操作部材のうちの任意の操作部材について、割り当てられる前記所定の機能を変更する変更手段をさらに備えることを特徴とする撮像装置。
【請求項５】
請求項４に記載の撮像装置において、
前記第1の筐体が前記第1の姿勢であるときに前記複数の操作部材のそれぞれに割り当てられる機能についての表示を、前記第1の筐体が前記第1の姿勢であるときに視認し易い向きに表示し、
前記第1の筐体が前記第２の姿勢であるときに前記複数の操作部材のそれぞれに割り当てられる機能についての表示を、前記第1の筐体が前記第２の姿勢であるときに視認し易い向きに表示する表示手段をさらに備えることを特徴とする撮像装置。
【請求項６】
請求項１または請求項２に記載の撮像装置において、
前記第1のレリーズボタンの近傍に設けられて、撮像装置の所定の機能が割り当てられた第1の操作部材と、
前記第２のレリーズボタンの近傍に設けられて前記第１の操作部材に割り当てられた前記所定の機能と同じ機能が割り当てられた第２の操作部材とをさらに備えることを特徴とする撮像装置。
【請求項７】
請求項６に記載の撮像装置において、
前記所定の機能は、前記レンズ鏡筒に設けられる撮像光学系の焦点距離の変更機能であることを特徴とする撮像装置。
【請求項８】
請求項１〜７のいずれか一項に記載の撮像装置において、
把持部は、前記第1の筐体が前記第１の姿勢であるときに使用者の親指で把持される部分と、前記第1の筐体が前記第２の姿勢であるときに使用者の親指で把持される部分とを有することを特徴とする撮像装置。
【発明の詳細な説明】
【技術分野】
【０００１】
本発明は、撮像装置に関する。
【背景技術】
【０００２】
撮像時の構図に応じて撮像装置を横にした状態で把持する場合や、撮像装置を縦にした状態で把持する場合がある。このように、撮像装置の姿勢の違いによって把持状態が変化してもレリーズボタンを操作できるように、レリーズボタンを複数設けた撮像装置が知られている（特許文献１参照）。
【０００３】
【特許文献１】特開２００４−２４２１９２号公報
【発明の開示】
【発明が解決しようとする課題】
【０００４】
しかし、従来の撮像装置では、撮像装置を縦にして把持した場合と横にして把持した場合とでは、レリーズボタンに対する指の掛かり方が異なるため、レリーズボタンの操作感が異なってしまう。
【課題を解決するための手段】
【０００５】
（１）  請求項１の発明による撮像装置は、把持部を有する第１の筐体と、レンズ鏡筒を有し、第１の筐体に対してレンズ鏡筒の光軸方向と略直交する回転軸心を中心として回動可能に取り付けられた第２の筐体と、第２の筐体に面する第１の筐体の第１面に設けられた第１のレリーズボタンと、第１面に隣接する第１の筐体の第２面に設けられた第２のレリーズボタンとを備えることを特徴とする。
（２）  請求項２の発明は、請求項１に記載の撮像装置において、第１の筐体の姿勢を検出する検出手段と、検出手段によって第１の筐体が第１の姿勢であることを検出すると第１のレリーズボタンの操作を有効とするとともに第２のレリーズボタンの操作を無効とし、検出手段によって第1の筐体が第２の姿勢であることを検出すると第１のレリーズボタンの操作を無効とするとともに第２のレリーズボタンの操作を有効とするレリーズボタン設定手段とをさらに備えることを特徴とする。
（３）  請求項３の発明は、請求項２に記載の撮像装置において、撮像装置の所定の機能がそれぞれ割り当てられた複数の操作部材と、検出手段によって検出された第1の筐体の姿勢が第１の姿勢であるか第２の姿勢であるかによって、複数の操作部材のうちの任意の操作部材について、操作を有効とするか無効とするかを切り替える切換手段をさらに備えることを特徴とする。
（４）  請求項４の発明は、請求項２に記載の撮像装置において、撮像装置の所定の機能がそれぞれ割り当てられた複数の操作部材と、検出手段によって検出された第1の筐体の姿勢が第１の姿勢であるか第２の姿勢であるかによって、複数の操作部材のうちの任意の操作部材について、割り当てられる所定の機能を変更する変更手段をさらに備えることを特徴とする。
（５）  請求項５の発明は、請求項４に記載の撮像装置において、第１の筐体が第１の姿勢であるときに複数の操作部材のそれぞれに割り当てられる機能についての表示を、第１の筐体が第１の姿勢であるときに視認し易い向きに表示し、第１の筐体が第２の姿勢であるときに複数の操作部材のそれぞれに割り当てられる機能についての表示を、第１の筐体が第２の姿勢であるときに視認し易い向きに表示する表示手段をさらに備えることを特徴とする。
（６）  請求項６の発明は、請求項１または請求項２に記載の撮像装置において、第１のレリーズボタンの近傍に設けられて、撮像装置の所定の機能が割り当てられた第1の操作部材と、第２のレリーズボタンの近傍に設けられて第１の操作部材に割り当てられた所定の機能と同じ機能が割り当てられた第２の操作部材とをさらに備えることを特徴とする。
（７）  請求項７の発明は、請求項６に記載の撮像装置において、所定の機能は、レンズ鏡筒に設けられる撮像光学系の焦点距離の変更機能であることを特徴とする。
（８）  請求項８の発明は、請求項１〜７のいずれか一項に記載の撮像装置において、把持部は、第１の筐体が第１の姿勢であるときに使用者の親指で把持される部分と、第1の筐体が第２の姿勢であるときに使用者の親指で把持される部分とを有することを特徴とする。
【発明の効果】
【０００６】
本発明によれば、撮像装置の姿勢による操作感の違いを抑制できる。
【発明を実施するための最良の形態】
【０００７】
−−−第１の実施の形態−−−
図１〜６を参照して、本発明による撮像装置の第１の実施の形態を説明する。図1，２は、本実施の形態の撮像装置である電子カメラ１の外観を示す図である。電子カメラ１は、撮像部２と本体部３とが回転可能に連結されているデジタルスチルカメラである。なお、図１は電子カメラ１の収納状態、すなわち、撮像部２を収納した状態を示す図であり、図2は電子カメラ１の使用状態を示す図である。撮像部２には、筐体（撮像側筐体）２００の内部に、撮影レンズを有するレンズ鏡筒２０１と、被写体像を撮像する撮像素子（例えばＣＣＤ）２０２と、被写体に光を照射する発光部２０３とが設けられている。
【０００８】
撮像部２は、図1の収納状態の角度位置を基準として、図示左側の前方被写体側に向かって図示反時計方向へ略２００度回動し、図示右側の後方撮影者側に向かって図示時計方向に略９０度回動する。図２は、図１の収納状態から撮像部２を被写体側に向かって略９０度回動させた状態を示している。すなわち、撮像側筐体２００はレンズ鏡筒２０１を有し、本体部３の筐体に対してレンズ鏡筒２０１の光軸方向と略直交する回転軸心を中心として回動可能に取り付けられている。
【０００９】
撮像部２を図１の収納状態に回動させた場合、レンズ鏡筒２０１の入射光側は、図示上方向を向くように構成されている。発光部２０３は被写体に光を照射するため、撮像部２のうちレンズ鏡筒２０１の入射光側の面に、レンズ鏡筒２０１のレンズ光軸から離して配設する必要がある。したがって、発光部２０３は、撮像部２を図１の収納状態に回動させた場合に本体部３側に向かって突出する部位（突出部）２２０に配設される。
【００１０】
本体部３の筐体（本体側筐体）３００は、略直方体形状を呈している。なお、上述したように、撮像部２の突出部２２０は本体部３に向かって突出しているため、本体部３の面のうち、撮像部２に面する面は、突出部２２０の突出形状に対応するように凹欠している。本体部３の面のうち、撮像部２に面する面を対向面３２０と呼ぶ。対向面３２０は、撮像部２の突出部２２０ではない部位の面２１１と面する面３２０ａと、撮像部２に向かって延在する突出部２２０の面２１２と面する面３２０ｂと、突出部２２０のうち最も突出している部位の面２１３と面する面２３０ｃとによって構成されている。
【００１１】
対向面３２０に隣接する面であり、図１，２で図示上方の面である、本体側筐体３００の上面３１０には、第１レリーズボタン３１１と、第１ズームレバー３１２と、縦／横切替レバー３１３とが設けられている。面３２０ｂには、凹部３２４が設けられ、凹部３２４には、第２レリーズボタン３２１と、第２ズームレバー３２２とが設けられている。図１，２で図示右側に面した、本体側筐体３００の背面３３０には、撮像部２側から順にＤＥＬ／ＰＬＡＹボタン３３１と、ＭＥＮＵボタン３３２と、ＭＯＤＥボタン３３３と、ＰＬＡＹボタン３３４と、十字操作キー３３５とが設けられている。また、背面３３０のうち、上面３１０近傍には、撮像部２側とは反対側の端部近傍に横位置把持部３３６が設けられており、撮像部２側の端部近傍に縦位置把持部３３７が設けられている。背面３３０には液晶表示モニタ３３８も設けられている。
【００１２】
第１レリーズボタン３１１および第２レリーズボタン３２１は、レリーズ操作を行うための操作ボタンである。第１ズームレバー３１２および第２ズームレバー３２２は、レンズ鏡筒２０１に配置される撮像光学系の焦点距離の変更操作を行うための操作レバーであり、それぞれを上方から見たときに左右方向に操作可能である。第１ズームレバー３１２は第１レリーズボタン３１１と略同心状に配設され、第２ズームレバー３２２は第２レリーズボタン３２１と略同心状に配設されている。縦／横切替レバー３１３は、電子カメラ１を横位置で撮像するか縦位置で撮像するかをユーザが選択するための操作レバーである。縦／横切替レバー３１３の操作による電子カメラ１の動作の変化については後述する。
【００１３】
横長の画像が撮像されるように、ユーザ側から見て撮像部２と本体部３とが横方向または斜め横方向に並ぶ状態となる電子カメラ１の姿勢を横位置と呼び、縦長の画像が撮像されるように、ユーザ側から見て撮像部２と本体部３とが縦方向または斜め縦方向に並ぶ状態となる電子カメラ１の姿勢を縦位置と呼ぶ。電子カメラ１の姿勢を横位置としたときに、本体側筐体３００の面のうち、下方に向いた面を底面３６０と呼ぶ。図３（ａ），（ｂ）は背面側から見た電子カメラ１を示す図であり、図３（ａ）は横位置にされた電子カメラ１を示し、図３（ｂ）は縦位置にされた電子カメラ１を示す。
【００１４】
ＤＥＬ／ＰＬＡＹボタン３３１は、撮像された画像を消去する際に操作される操作ボタン（消去ボタン）であるとともに、撮像済みの画像を液晶表示モニタ３３８に表示させる際などに操作される操作ボタン（再生ボタン）でもある。ＭＥＮＵボタン３３２は、各種機能を設定するメニュー画面を液晶表示モニタ３３８に表示させる際に操作される操作ボタンである。
【００１５】
ＭＯＤＥボタン３３３は、撮像モードの選択の際に操作される操作ボタンである。ＰＬＡＹボタン３３４は、撮像済みの画像を液晶表示モニタ３３８に表示させる際などに操作される操作ボタン（再生ボタン）である。十字操作キー３３５は、各種メニューの項目等を選択するための操作ボタンであり、上下左右方向および圧下方向に操作可能である。
【００１６】
横位置把持部３３６は、周囲の面よりも全体的に浅く窪んだり、滑り止め処理が施されたりするなど、横位置にされた電子カメラ１をユーザが保持する際に、ユーザの右手の親指で把持され易いように処理された部位である。縦位置把持部３３７は、周囲の面よりも全体的に浅く窪んだり、滑り止め処理が施されたりするなど、縦位置にされた電子カメラ１をユーザが保持する際に、ユーザの右手の親指で把持され易いように処理された部位である。液晶表示モニタ３３８は、撮像された画像や各種のメニュー画面を表示する表示モニタである。液晶表示モニタ３３８は、撮像時に、被写体の画像を表示する電子ファインダとして働く。
【００１７】
図４は、電子カメラ１の構成を説明するブロック図である。演算回路１０１は、マイクロコンピュータなどによって構成される。演算回路１０１は、後述する各部から出力される信号を入力して所定の演算を行い、演算結果に基づく制御信号を各部へ出力する。演算回路１０１と後述する各部とは互いに接続されている。
【００１８】
撮像素子２０２は、ＣＣＤイメージセンサなどによって構成される。撮像素子２０２は、レンズ鏡筒２０１のレンズを通過した被写体光による像を撮像し、撮像信号を画像処理部１２３へ出力する。画像処理部１２３は、Ａ／Ｄ変換回路やＡＳＩＣなどによって構成される。画像処理部１２３は、アナログ撮像信号をディジタル信号に変換して、ディジタル変換後の画像データにホワイトバランス処理などの画像処理を行うほか、画像処理後の画像データを所定の形式で圧縮する圧縮処理、圧縮された画像データを伸長する伸長処理などを行う。
【００１９】
第１レリーズスイッチ１４１は、第１レリーズボタン３１１に連動してレリーズ操作信号を演算回路１０１に出力する。レリーズ操作信号には、第１レリーズボタン３１１の半押し操作に対応する半押し操作信号と、半押し操作より深く押下される全押し操作に対応する全押し操作信号とがある。第２レリーズスイッチ１４２は、第２レリーズボタン３２１に連動してレリーズ操作信号を演算回路１０１に出力する。第２レリーズスイッチ１４２が出力するレリーズ操作信号は、第１レリーズスイッチ１４１と同様である。
【００２０】
ＤＥＬ／ＰＬＡＹスイッチ１４３、ＭＥＮＵスイッチ１４４、ＭＯＤＥスイッチ１４５、およびＰＬＡＹスイッチ１４６は、それぞれＤＥＬ／ＰＬＡＹボタン３３１、ＭＥＮＵボタン３３２、ＭＯＤＥボタン３３３、およびＰＬＡＹボタン３３４が押圧操作されると操作信号を演算回路１０１に出力する。
【００２１】
十字キースイッチ１４７は、十字操作キー３３５の操作に応じた信号を演算回路１０１に出力する。十字操作キー３３５の上部が押圧されると、十字キースイッチ１４７は上方向信号を出力する。十字操作キー３３５の下部が押圧されると、十字キースイッチ１４７は下方向信号を出力する。十字操作キー３３５の右部が押圧されると、十字キースイッチ１４７は右方向信号を出力する。十字操作キー３３５の左部が押圧されると、十字キースイッチ１４７は左方向信号を出力する。十字操作キー３３５が圧下されると、十字キースイッチ１４７は圧下信号を出力する。
【００２２】
第１ズームスイッチ１５１は、第１ズームレバー３１２の操作に応じた信号を演算回路１０１に出力する。第１ズームレバー３１２が右方向に操作されると第１ズームスイッチ１５１は右方向信号を出力し、第１ズームレバー３１２が左方向に操作されると第１ズームスイッチ１５１は左方向信号を出力する。第２ズームスイッチ１５２は、第２ズームレバー３２２の操作に応じた信号を演算回路１０１に出力する。第２ズームレバー３２２が右方向に操作されると第２ズームスイッチ１５２は右方向信号を出力し、第２ズームレバー３２２が左方向に操作されると第２ズームスイッチ１５２は左方向信号を出力する。
【００２３】
縦／横切替スイッチ１５３は、縦／横切替レバー３１３の操作位置に応じた信号を演算回路１０１に出力する。縦／横切替レバー３１３が横位置を選択する操作位置に操作されると縦／横切替スイッチ１５３は、横位置信号を出力する。縦／横切替レバー３１３が縦位置を選択する操作位置に操作されると縦／横切替スイッチ１５３は、縦位置信号を出力する。
【００２４】
表示制御部１６１は、演算回路１０１から出力される信号に基づいて、液晶表示モニタ３３８の表示制御を行う制御部である。レンズ駆動制御部１６２は、演算回路１０１から出力される信号に基づいて、合焦動作や焦点距離変更動作を行うようにレンズ鏡筒２０１のレンズ群を駆動する。発光装置１６３は、演算回路１０１から出力される信号に基づいて、発光部２０３に対する発光開始および発光停止を指示して発光制御を行う。記録媒体装着部１６４は、不図示の記録媒体を着脱可能に保持し、装着された記録媒体に記録されたデータの読み込みや消去、記録媒体へのデータの書き込みを行う。記録媒体には、画像処理後の画像データが記録される。
【００２５】
−−−横位置で撮像する場合−−−
このように構成される電子カメラ１では、被写体像の撮像や、撮像された画像の液晶表示モニタ３３８への表示ができる。図５に示すように、横位置にされた電子カメラ１で撮像する場合、ユーザは、右手で本体側筐体３００を把持し、左手で撮像側筐体２００を把持することとなる。この際、右手の親指が自然に横位置把持部３３６に添えられ、右手の人差し指が第１レリーズボタン３１１に自然に掛かるように、横位置把持部３３６および第１レリーズボタン３１１が配設されている。
【００２６】
電子カメラ１では、縦／横切替レバー３１３が横位置を選択する操作位置に操作されると、図５に示すように横位置にされて把持された電子カメラ１を操作し易いように、第１レリーズボタン３１１および第１ズームレバー３１２の操作が有効とされ、第２レリーズボタン３２１および第２ズームレバー３２２の操作が無効とされる。
【００２７】
すなわち、演算回路１０１は、縦／横切替スイッチ１５３から横位置信号を受信すると、第１レリーズスイッチ１４１から出力されるレリーズ操作信号と、第１ズームスイッチ１５１から出力される右方向信号および左方向信号を有効な信号として処理する。また、演算回路１０１は、縦／横切替スイッチ１５３から横位置信号を受信すると、第２レリーズスイッチ１４２から出力されるレリーズ操作信号と、第２ズームスイッチ１５２から出力される右方向信号および左方向信号を無効な信号として処理する。
【００２８】
具体的には、演算回路１０１は、第１レリーズボタン３１１が半押し操作されることで第１レリーズスイッチ１４１から出力された半押し操作信号を受信すると、フォーカスロックや絞り値の固定を行うように各部を制御する。演算回路１０１は、第１レリーズボタン３１１が全押し操作されることで第１レリーズスイッチ１４１から出力された全押し操作信号を受信すると、撮像素子２０２で被写体像を撮像し、撮像した画像に各種処理を施して記録媒体に格納するように各部を制御する。
【００２９】
上述したように、第１ズームレバー３１２が操作されると第１ズームスイッチ１５１から右方向信号または左方向信号が出力される。演算回路１０１は、この右方向信号または左方向信号を受信すると、レンズ鏡筒２０１のレンズ群が駆動されて焦点距離が変更されるようにレンズ駆動制御部１６２に制御信号を出力する。演算回路１０１は、第２レリーズスイッチ１４２から出力されるレリーズ操作信号や、第２ズームスイッチ１５２から出力される右方向信号および左方向信号を受信しても、演算回路１０１における演算状態や制御信号の出力状態を変更しない。
【００３０】
その結果、第１レリーズボタン３１１が半押し操作されると、フォーカスロックや絞り値の固定が行われる。第１レリーズボタン３１１が全押し操作されると、撮像動作が行われる。第１ズームレバー３１２が操作されると焦点距離が変更される。また、第２レリーズボタン３２１および第２ズームレバー３２２が操作されても、電子カメラ１の各部の状態・動作は変化しない。
【００３１】
また、電子カメラ１では、縦／横切替レバー３１３が横位置を選択する操作位置に操作されると、横位置で把持された電子カメラ１を操作し易いように、各ボタン３３１〜３３４の機能が切り替えられる。すなわち、撮像の際に操作する頻度が高い機能ほど横位置把持部３３６に近い位置のボタンに割り当てられる。具体的には、演算回路１０１は、ＰＬＡＹボタン３３４が押圧操作されることＰＬＡＹスイッチ１４６から出力された操作信号を受信すると、撮像済みの画像を液晶表示モニタ３３８に表示させるように各部を制御する。
【００３２】
演算回路１０１は、ＭＯＤＥボタン３３３が押圧操作されることでＭＯＤＥスイッチ１４５から出力された操作信号を受信すると、撮像モードの選択画面を液晶表示モニタ３３８に表示するように表示制御部１６１を制御する。演算回路１０１は、ＭＥＮＵボタン３３２が押圧操作されることでＭＥＮＵスイッチ１４４から出力された操作信号を受信すると、各種機能を設定するメニュー画面を液晶表示モニタ３３８に表示するように表示制御部１６１を制御する。
【００３３】
演算回路１０１は、ＤＥＬ／ＰＬＡＹボタン３３１が押圧操作されることでＤＥＬ／ＰＬＡＹスイッチ１４３から出力された操作信号を受信すると、撮像によって得られた記録不要な画像データを消去したり、記録媒体に記録されているデータを削除するように各部を制御する。すなわち、縦／横切替レバー３１３によって横位置が選択されると、ＤＥＬ／ＰＬＡＹボタン３３１を消去ボタンとして機能させるよう、演算回路１０１が各部を制御する。
【００３４】
−−−縦位置で撮像する場合−−−
図６に示すように、縦位置にされた電子カメラ１で撮像する場合、ユーザは、右手で本体側筐体３００の上面３１０の周辺を把持し、左手で本体側筐体３００の底面３６０の周辺を把持することとなる。この際、右手の親指が自然に縦位置把持部３３７に添えられ、右手の人差し指が第２レリーズボタン３２１に自然に掛かるように、縦位置把持部３３７および第２レリーズボタン３２１が配設されている。
【００３５】
電子カメラ１では、縦／横切替レバー３１３が縦位置を選択する操作位置に操作されると、図６に示すように縦位置にされて把持された電子カメラ１を操作し易いように、第２レリーズボタン３２１および第２ズームレバー３２２の操作が有効とされ、第１レリーズボタン３１１および第１ズームレバー３１２の操作が無効とされる。
【００３６】
すなわち、演算回路１０１は、縦／横切替スイッチ１５３から縦位置信号を受信すると、第２レリーズスイッチ１４２から出力されるレリーズ操作信号と、第２ズームスイッチ１５２から出力される右方向信号および左方向信号を有効な信号として処理する。また、演算回路１０１は、縦／横切替スイッチ１５３から縦位置信号を受信すると、第１レリーズスイッチ１４１から出力されるレリーズ操作信号と、第１ズームスイッチ１５１から出力される右方向信号および左方向信号を無効な信号として処理する。
【００３７】
具体的には、演算回路１０１は、第２レリーズボタン３２１が半押し操作されることで第２レリーズスイッチ１４２から出力された半押し操作信号を受信すると、フォーカスロックや絞り値の固定を行うように各部を制御する。演算回路１０１は、第２レリーズボタン３２１が全押し操作されることで第２レリーズスイッチ１４２から出力された全押し操作信号を受信すると、撮像素子２０２で被写体像を撮像し、撮像した画像に各種処理を施して記録媒体に格納するように各部を制御する。
【００３８】
演算回路１０１は、第２ズームレバー３２２が操作されることで第２ズームスイッチ１５２から出力される右方向信号または左方向信号を受信するとレンズ鏡筒２０１のレンズ群が駆動されて焦点距離が変更されるようにレンズ駆動制御部１６２に制御信号を出力する。演算回路１０１は、第１レリーズスイッチ１４１から出力されるレリーズ操作信号や、第１ズームスイッチ１５１から出力される右方向信号および左方向信号を受信しても、演算回路１０１における演算状態や制御信号の出力状態を変更しない。
【００３９】
その結果、第２レリーズボタン３２１が半押し操作されると、フォーカスロックや絞り値の固定が行われ、第２レリーズボタン３２１が全押し操作されると、撮像動作が行われ、第２ズームレバー３２２が操作されると焦点距離が変更される。また、第１レリーズボタン３１１および第１ズームレバー３１２が操作されても、電子カメラ１の各部の状態・動作は変化しない。
【００４０】
また、電子カメラ１では、縦／横切替レバー３１３が縦位置を選択する操作位置に操作されると、縦位置で把持された電子カメラ１を操作し易いように、撮像の際に操作する頻度が高い機能が縦位置把持部３３７に最も近い位置のボタンに割り当てられる。具体的には、演算回路１０１は、ＤＥＬ／ＰＬＡＹボタン３３１が押圧操作されることでＤＥＬ／ＰＬＡＹスイッチ１４３から出力された操作信号を受信すると、撮像済みの画像を液晶表示モニタ３３８に表示させるように各部を制御する。すなわち、縦／横切替レバー３１３によって縦位置が選択されると、ＤＥＬ／ＰＬＡＹボタン３３１を再生ボタンとして機能させるよう、演算回路１０１が各部を制御する。
【００４１】
縦／横切替レバー３１３によって縦位置が選択された場合、撮像の際に操作する頻度が低いＭＥＮＵボタン３３２、ＭＯＤＥボタン３３３、およびＰＬＡＹボタン３３４の操作が無効とされる。これにより、縦位置で把持された際に、これらのボタンに右手の親指のつけ根付近が当たっても、ユーザの意図しない誤操作を防止できる。演算回路１０１は、ＭＥＮＵボタン３３２が押圧操作されることでＭＥＮＵスイッチ１４４から出力された操作信号を受信しても、受信した操作信号を無効な信号として処理する。同様に、演算回路１０１は、ＭＯＤＥボタン３３３が押圧操作されることでＭＯＤＥスイッチ１４５から出力された操作信号を受信しても、受信した操作信号を無効な信号として処理する。演算回路１０１は、ＰＬＡＹボタン３３４が押圧操作されることＰＬＡＹスイッチ１４６から出力された操作信号を受信しても、受信した操作信号を無効な信号として処理する。
【００４２】
図５，６に示すように、電子カメラ１がユーザの顔の前方で把持された場合、電子カメラ１の姿勢が横位置であっても縦位置であっても、ユーザが電子カメラ１を把持する右手の手首の角度は略同じとなる。横位置にされた電子カメラ１の横位置把持部３３６に添えられた右手親指の位置と、縦位置にされた電子カメラ１の縦位置把持部３３７に添えられた右手親指の位置は略同一となる。
【００４３】
横位置にされた電子カメラ１の第１レリーズボタン３１１に掛かる右手の人差し指の位置と、縦位置にされた電子カメラ１の第２レリーズボタン３２１に掛かる右手の人差し指の位置も略同一となる。なお、レリーズボタン３１１，３２１に関しては、レリーズボタンの圧下方向が下方であるか斜め下方であるかという違いはあるものの、ユーザの操作感に与える差異はごく僅かである。
【００４４】
したがって、本実施の形態の電子カメラ１では、電子カメラ１の姿勢が縦位置であっても横位置のときと同様に把持できる。また、電子カメラ１の姿勢が縦位置であっても横位置のときと同様の操作感でレリーズ操作やズーム操作を行うことができる。
【００４５】
なお、図３（ａ），（ｂ）に示すように、電子カメラ１では、横位置および縦位置にされた際の各ボタン３３１〜３３４の機能を理解しやすいように、各ボタン３３１〜３３４の周囲に各ボタン３３１〜３３４の機能を表示している。縦／横切替レバー３１３によって横位置が選択されると、ＤＥＬ／ＰＬＡＹボタン３３１が消去ボタンとして機能するが、その機能を表す「ＤＥＬ」という文字３３１ａがＤＥＬ／ＰＬＡＹボタン３３１の上方に、電子カメラ１が横位置とされたときに正立するように表示されている（図３（ａ））。同様に、ＭＥＮＵボタン３３２の上方には「ＭＥＮＵ」という文字３３２ａが表示され、ＭＯＤＥボタン３３３の上方には「ＭＯＤＥ」という文字３３３ａが表示され、ＰＬＡＹボタン３３４の上方には「ＰＬＡＹ」という文字３３４ａが表示されている。
【００４６】
また、縦／横切替レバー３１３によって縦位置が選択されると、ＤＥＬ／ＰＬＡＹボタン３３１が再生ボタンとして機能するが、その機能を表す「ＰＬＡＹ」という文字３３１ｂがＤＥＬ／ＰＬＡＹボタン３３１の側方に、電子カメラ１が縦位置とされたときに正立するように表示されている（図３（ｂ））。
【００４７】
上述した第１の実施の形態の電子カメラ１では、次の作用効果を奏する。
（１）  本体側筐体３００の上面３１０、および、上面３１０と隣接する対向面３２０にそれぞれ第１レリーズボタン３１１と第２レリーズボタン３２１とを設けた。これにより、電子カメラ１の姿勢に応じて把持状態が変化してもレリーズボタンの操作感が変わらず、操作感の違いによる違和感をユーザに与えない。また、操作感が変化しないので、電子カメラ１の姿勢に関わらず撮像し易く、撮像される画像の画質向上も期待できるとともに、後付けのグリップ等が不要となるので、電子カメラ１を大型化しなくて済む。
【００４８】
（２）  電子カメラ１の姿勢に応じて、第１レリーズボタン３１１および第２レリーズボタン３２１のうちのいずれか一方を有効とし他方を無効とするように構成した。これにより、たとえば縦位置における撮像の際に、右手の手のひらで第１レリーズボタンを誤って押圧してしまっても、撮像動作が行われないので、ユーザの意図しない撮像を防止できる。
【００４９】
（３）  電子カメラ１の姿勢に応じて、各ボタン３３２〜３３４の操作が有効となるか無効となるかを切り替えるように構成した。これにより、ユーザの意図しない誤操作を防止できる。また、電子カメラ１の姿勢に応じて、各ボタン３３１〜３３４の機能を切り替えるように構成した。これにより、電子カメラ１の姿勢に応じて、電子カメラ１のボタン操作を容易にできる。
【００５０】
（４）  各ボタン３３１〜３３４の機能を表示する文字３３１ａ〜３３４ａ，３３１ｂを、電子カメラ１の姿勢に対応して正立するように表示したので、電子カメラ１の姿勢に関わらず各ボタン３３１〜３３４の機能が分かり易い。
【００５１】
（５）  第１レリーズボタン３１１の近傍に第１ズームレバー３１２を設け、第２レリーズボタン３２１の近傍に第２ズームレバー３２２を設けるように構成した。これにより、電子カメラ１の姿勢が横位置や縦位置に変化しても、撮像時に頻繁に操作するズームレバーの操作感が変わらず、操作感の違いによる違和感をユーザに与えない。
【００５２】
（６）  横位置および縦位置にされた電子カメラ１を把持した際に、右手の親指を添える横位置把持部３３６および縦位置把持部３３７を設けたので、電子カメラ１の姿勢に関わらず、電子カメラ１が把持し易くなる。
【００５３】
（７）  縦／横切替レバー３１３によって、電子カメラ１を横位置で撮像するか縦位置で撮像するかをユーザが選択できるように構成した。これにより、ユーザの姿勢やユーザの腕の角度などが変化しても、各ボタンや各レバーの有効／無効化の状態や各ボタンの機能と、ユーザの意図とを一致させることができる。
【００５４】
−−−第２の実施の形態−−−
図７〜１０を参照して、本発明による撮像装置の第２の実施の形態を説明する。以下の説明では、第１の実施の形態と同様の構成要素には対応する符号を付して相違点を主に説明する。特に説明しない点については、第１の実施の形態と同様である。図７，８は、第２の実施の形態の撮像装置である電子カメラ１の外観を示す図である。図９（ａ），（ｂ）は背面側から見た電子カメラ１を示す図であり、図９（ａ）は横位置にされた電子カメラ１を示し、図９（ｂ）は縦位置にされた電子カメラ１を示す。
【００５５】
第２の実施の形態の電子カメラ１では、第１の実施の形態の電子カメラ１と異なり、第２ズームレバー３２２が設けられていない。第２の実施の形態の電子カメラ１では、第１の実施の形態の電子カメラ１のＤＥＬ／ＰＬＡＹボタン３３１およびＭＥＮＵボタン３３２に代えて、ＤＥＬ／ＴＥＬＥボタン３４１およびＭＥＮＵ／ＷＩＤＥボタン３４２が設けられている。
【００５６】
ＤＥＬ／ＴＥＬＥボタン３４１は、撮像された画像を消去する際に操作される操作ボタン（消去ボタン）であるとともに、焦点距離を長くするＴＥＬＥ側へ変更するための操作ボタン（ＴＥＬＥボタン）でもある。ＭＥＮＵ／ＷＩＤＥボタン３４２は、各種機能を設定するメニュー画面を液晶表示モニタ３３８に表示させる際に操作される操作ボタン（ＭＥＮＵボタン）であるとともに、焦点距離を短くするＷＩＤＥ側へ変更するための操作ボタン（ＷＩＤＥボタン）でもある。
【００５７】
図１０は、第２の実施の形態の電子カメラ１の構成を説明するブロック図である。ＤＥＬ／ＴＥＬＥスイッチ１７１およびＭＥＮＵ／ＷＩＤＥスイッチ１７２は、それぞれＤＥＬ／ＴＥＬＥボタン３４１およびＭＥＮＵ／ＷＩＤＥボタン３４２が押圧操作されると操作信号を演算回路１０１に出力する。なお、第２の実施の形態の電子カメラ１には、第２ズームスイッチ１５２は設けられていない。
【００５８】
−−−横位置で撮像する場合−−−
第２の実施の形態の電子カメラ１では、縦／横切替レバー３１３が横位置を選択する操作位置に操作されると、横位置で把持された電子カメラ１を操作し易いように、第１レリーズボタン３１１および第１ズームレバー３１２の操作が有効とされ、第２レリーズボタン３２１の操作が無効とされる。
【００５９】
すなわち、演算回路１０１は、縦／横切替スイッチ１５３から横位置信号を受信すると、第１レリーズスイッチ１４１から出力されるレリーズ操作信号と、第１ズームスイッチ１５１から出力される右方向信号および左方向信号を有効な信号として処理する。また、演算回路１０１は、縦／横切替スイッチ１５３から横位置信号を受信すると、第２レリーズスイッチ１４２から出力されるレリーズ操作信号を無効な信号として処理する。演算回路１０１は、第２レリーズスイッチ１４２から出力されるレリーズ操作信号を受信しても、演算回路１０１における演算状態や制御信号の出力状態を変更しない。
【００６０】
その結果、第１レリーズボタン３１１が半押し操作されると、フォーカスロックや絞り値の固定が行われ、第１レリーズボタン３１１が全押し操作されると、撮像動作が行われ、第１ズームレバー３１２が操作されるとレンズ鏡筒２０１に配置される撮像光学系の焦点距離が変更される。また、第２レリーズボタン３２１が操作されても、電子カメラ１の各部の状態・動作は変化しない。
【００６１】
また、電子カメラ１では、縦／横切替レバー３１３が横位置を選択する操作位置に操作されると、横位置で把持された電子カメラ１を操作し易いように、撮像の際に操作する頻度が高い機能ほど横位置把持部３３６に近い位置のボタンに割り当てられる。具体的には、演算回路１０１は、ＭＥＮＵ／ＷＩＤＥボタン３４２が押圧操作されることでＭＥＮＵ／ＷＩＤＥスイッチ１７２から出力された操作信号を受信すると、各種機能を設定するメニュー画面を液晶表示モニタ３３８に表示するように表示制御部１６１を制御する。
【００６２】
演算回路１０１は、ＤＥＬ／ＴＥＬＥボタン３４１が押圧操作されることでＤＥＬ／ＴＥＬＥスイッチ１７１から出力された操作信号を受信すると、撮像によって得られた記録不要な画像データを消去したり、記録媒体に記録されているデータを削除するように各部を制御する。すなわち、縦／横切替レバー３１３によって横位置が選択されると、ＤＥＬ／ＴＥＬＥボタン３４１を消去ボタンとして機能させ、ＭＥＮＵ／ＷＩＤＥボタン３４２をＭＥＮＵボタンとして機能させるよう、演算回路１０１が各部を制御する。
【００６３】
−−−縦位置で撮像する場合−−−
第２の実施の形態の電子カメラ１では、縦／横切替レバー３１３が縦位置を選択する操作位置に操作されると、縦位置で把持された電子カメラ１を操作し易いように、第２レリーズボタン３２１の操作が有効とされ、第１レリーズボタン３１１および第１ズームレバー３１２の操作が無効とされる。
【００６４】
すなわち、演算回路１０１は、縦／横切替スイッチ１５３から縦位置信号を受信すると、第２レリーズスイッチ１４２から出力されるレリーズ操作信号を有効な信号として処理する。また、演算回路１０１は、縦／横切替スイッチ１５３から縦位置信号を受信すると、第１レリーズスイッチ１４１から出力されるレリーズ操作信号と、第１ズームスイッチ１５１から出力される右方向信号および左方向信号を無効な信号として処理する。
【００６５】
具体的には、演算回路１０１は、第２レリーズボタン３２１が半押し操作されることで第２レリーズスイッチ１４２から出力された半押し操作信号を受信すると、フォーカスロックや絞り値の固定を行うように各部を制御する。演算回路１０１は、第２レリーズボタン３２１が全押し操作されることで第２レリーズスイッチ１４２から出力された全押し操作信号を受信すると、撮像素子２０２で被写体像を撮像し、撮像した画像に各種処理を施して記録媒体に格納するように各部を制御する。
【００６６】
演算回路１０１は、第１レリーズスイッチ１４１から出力されるレリーズ操作信号や、第１ズームスイッチ１５１から出力される右方向信号および左方向信号を受信しても、演算回路１０１における演算状態や制御信号の出力状態を変更しない。
【００６７】
その結果、第２レリーズボタン３２１が半押し操作されると、フォーカスロックや絞り値の固定が行われ、第２レリーズボタン３２１が全押し操作されると、撮像動作が行われる。また、第１レリーズボタン３１１および第１ズームレバー３１２が操作されても、電子カメラ１の各部の状態・動作は変化しない。
【００６８】
また、電子カメラ１では、縦／横切替レバー３１３が縦位置を選択する操作位置に操作されると、縦位置にされて把持された電子カメラ１を操作し易いように、各ボタン３４１，３４２，３３３，３３４の機能が切り替えられる。具体的には、演算回路１０１は、ＤＥＬ／ＴＥＬＥボタン３４１が押圧操作されることでＤＥＬ／ＴＥＬＥスイッチ１７１から出力された操作信号を受信すると、レンズ鏡筒２０１に配置される撮像光学系の焦点距離が長くなるようにレンズ駆動制御部１６２に制御信号を出力する。
【００６９】
演算回路１０１は、ＭＥＮＵ／ＷＩＤＥボタン３４２が押圧操作されることでＭＥＮＵ／ＷＩＤＥスイッチ１７２から出力された操作信号を受信すると、レンズ鏡筒２０１に配置される撮像光学系の焦点距離が短くなるようにレンズ駆動制御部１６２に制御信号を出力する。
【００７０】
演算回路１０１は、ＭＯＤＥボタン３３３が押圧操作されることでＭＯＤＥスイッチ１４５から出力された操作信号を受信しても、受信した操作信号を無効な信号として処理する。演算回路１０１は、ＰＬＡＹボタン３３４が押圧操作されることＰＬＡＹスイッチ１４６から出力された操作信号を受信すると、撮像済みの画像を液晶表示モニタ３３８に表示させるように各部を制御する。
【００７１】
したがって、第２の実施の形態の電子カメラ１では、電子カメラ１の姿勢が縦位置であっても横位置のときと同様に把持できる。また、電子カメラ１の姿勢が縦位置であっても横位置のときと同様の操作感でレリーズ操作を行うことができる。なお、焦点距離の変更に際しては、電子カメラ１の姿勢が横位置のときには、右手人差し指で第１ズームレバー３１２を操作し、電子カメラ１の姿勢が縦位置のときには、右手親指でＤＥＬ／ＴＥＬＥボタン３４１またはＭＥＮＵ／ＷＩＤＥボタン３４２を操作することとなる。しかし、右手の把持状態は、電子カメラ１の姿勢に関わらず大きな違いがなく、また、焦点距離に際して、電子カメラ１を持ち替えるなど、右手の把持状態を変化させる必要はなく、人差し指または親指を僅かに動かすだけで済む。
【００７２】
なお、図９（ａ），（ｂ）に示すように、電子カメラ１では、横位置および縦位置にされた際の各ボタン３４１，３４２，３３３，３３４の機能を理解しやすいように、各ボタン３４１，３４２，３３３，３３４の周囲に各ボタン３４１，３４２，３３３，３３４の機能を表示している。縦／横切替レバー３１３によって横位置が選択されると、ＤＥＬ／ＴＥＬＥボタン３４１が消去ボタンとして機能するが、その機能を表す「ＤＥＬ」という文字３４１ａがＤＥＬ／ＴＥＬＥボタン３４１の上方に、電子カメラ１が横位置とされたときに正立するように表示されている（図９（ａ））。同様に、ＭＥＮＵ／ＷＩＤＥボタン３４２の上方には「ＭＥＮＵ」という文字３４２ａが表示され、ＭＯＤＥボタン３３３の上方には「ＭＯＤＥ」という文字３３３ａが表示され、ＰＬＡＹボタン３３４の上方には「ＰＬＡＹ」という文字３３４ａが表示されている。
【００７３】
また、縦／横切替レバー３１３によって縦位置が選択されると、ＤＥＬ／ＴＥＬＥボタン３４１がＴＥＬＥボタンとして機能するが、その機能を表す「ＴＥＬＥ」という文字３４１ｂがＤＥＬ／ＰＬＡＹボタン３３１の側方に、電子カメラ１が縦位置とされたときに正立するように表示されている（図９（ｂ））。同様に、ＭＥＮＵ／ＷＩＤＥボタン３４２の側方には、ＷＩＤＥボタンとしての機能を表す「ＷＩＤＥ」という文字３４２ｂが表示され、ＰＬＡＹボタン３３４の側方には「ＰＬＡＹ」という文字３３４ｂが表示されている。
【００７４】
第２の実施の形態の電子カメラ１では、第１の実施の形態の作用効果に加えて次の作用効果を奏する。
（１）  縦／横切替レバー３１３で横位置に設定されている場合には、第１ズームレバー３１２で焦点距離の調整を行い、縦／横切替レバー３１３で縦位置に設定されている場合には、ＤＥＬ／ＴＥＬＥボタン３４１およびＭＥＮＵ／ＷＩＤＥボタン３４２で焦点距離の調整を行うように構成した。これにより、横位置における撮像よりも一般的には頻度の低い縦位置における撮像のために別途ズームレバーを設けなくてもよいので、製造コストを抑制できる。
【００７５】
−−−変形例−−−
（１）  上述した第１の実施の形態では、第１ズームレバー３１２を第１レリーズボタン３１１と略同心状に配設し、第２ズームレバー３２２を第２レリーズボタン３２１と略同心状に配設しているが、本発明はこれに限定されない。たとえば、第１ズームレバー３１２や第２ズームレバー３２２の代わりに、撮像モードを選択するためのモード設定ダイヤルなど、他の操作部材を第１レリーズボタン３１１および第２レリーズボタン３２１と略同心状に配設してもよい。
【００７６】
（２）  上述した第１の実施の形態では、第１ズームレバー３１２を第１レリーズボタン３１１と略同心状に配設し、第２ズームレバー３２２を第２レリーズボタン３２１と略同心状に配設しているが、本発明はこれに限定されない。たとえば、図１１に示すように、第１ズームレバー３１２の代わりに第１ズーム操作ダイヤル３１５を、本体側筐体３００の前面３７０であって第１レリーズボタン３１１の直近に設けてもよい。そして、第１レリーズボタン３１１と第１ズーム操作ダイヤル３１５との位置関係に倣って、第２ズームレバー３２２の代わりに第２ズーム操作ダイヤル３２５を、本体側筐体３００の前面３７０であって第２レリーズボタン３２１の直近に設けてもよい。
【００７７】
（３）  上述の説明では、電子カメラ１の姿勢と各ボタン３３１〜３３４，３４１，３４２の機能とが対応するように機能表示の向きを決定しているが、本発明はこれに限定されない。たとえば、図１２（ａ），（ｂ）に示すように、各ボタン３３１〜３３４の機能を、電子カメラ１の姿勢に応じて液晶表示モニタ３３８に表示させてもよい。縦／横切替レバー３１３によって横位置が選択されて、縦／横切替スイッチ１５３から横位置信号を受信すると、演算回路１０１はＤＥＬ／ＰＬＡＹボタン３３１が消去ボタンとして機能するように各部を制御する。さらに、演算回路１０１は「ＤＥＬ」という文字３３１ｃがＤＥＬ／ＰＬＡＹボタン３３１の直下に、電子カメラ１が横位置とされたときに正立するように液晶表示モニタ３３８に表示させるべく表示制御部１６１を制御する（図１２（ａ））。同様に、演算回路１０１は、ＭＥＮＵボタン３３２の直下に「ＭＥＮＵ」という文字３３２ｃを表示させ、ＭＯＤＥボタン３３３の直下に「ＭＯＤＥ」という文字３３３ｃを表示させ、ＰＬＡＹボタン３３４の直下に「ＰＬＡＹ」という文字３３４ｃを表示させるべく表示制御部１６１を制御する
【００７８】
また、縦／横切替レバー３１３によって縦位置が選択されて、縦／横切替スイッチ１５３から縦位置信号を受信すると、演算回路１０１はＤＥＬ／ＰＬＡＹボタン３３１が再生ボタンとして機能するよう各部を制御する。さらに、演算回路１０１は「ＰＬＡＹ」という文字３３１ｄがＤＥＬ／ＰＬＡＹボタン３３１の側方に、電子カメラ１が縦位置とされたときに正立するように液晶表示モニタ３３８に表示させるべく表示制御部１６１を制御する（図１２（ｂ））。
【００７９】
（４）  上述した第１の実施の形態では、縦／横切替レバー３１３によって縦位置が選択された場合、ＭＥＮＵボタン３３２、ＭＯＤＥボタン３３３、およびＰＬＡＹボタン３３４の操作が無効とされるように構成しているが、本発明はこれに限定されない。たとえば、縦／横切替レバー３１３によって縦位置が選択された場合であっても、ＭＥＮＵボタン３３２、ＭＯＤＥボタン３３３、およびＰＬＡＹボタン３３４のうち少なくともいずれか１つのボタンの操作が有効となるように構成してもよい。
【００８０】
（５）  上述した第２の実施の形態では、縦／横切替レバー３１３によって縦位置が選択された場合、ＭＯＤＥボタン３３３の操作が無効とされるように構成しているが、ＭＯＤＥボタン３３３の操作が有効となるように構成してもよい。
【００８１】
（６）  上述の説明では、縦／横切替レバー３１３によって縦位置が選択された場合に、十字操作キー３３５の操作が有効であるか無効であるかについては特に言及していないが、いずれであってもよい。
【００８２】
（７）  上述の説明では、電子カメラ１の姿勢を縦位置にすると、発光部２０３がレンズ鏡筒２０１の下方に位置するように構成されているが、電子カメラ１の姿勢を縦位置にした際に、発光部２０３がレンズ鏡筒２０１の上方に位置するように、レンズ鏡筒２０１を挟んで突出部２２０とは反対側に発光部２０３の収納部を設け、ここに発光部２０３を配設するように構成してもよい。この場合には、発光部２０３から照射される光がレンズ鏡筒２０１よりも上から被写体に照射されるため、被写体の影の出方が自然になる。
【００８３】
（８）  上述した第１の実施の形態では、撮像部２には突出部２２０が設けられ、本体部３には突出部２２０の突出形状に対応する凹欠部分を構成する対向面３２０が設けられている。そして、対向面３２０に第２レリーズボタン３２１と、第２ズームレバー３２２とが設けられているが、本発明はこれに限定されない。たとえば図１３に示すように、本体側筐体３００の撮像部２に面する側面３８０に、上述した実施の形態のような凹欠部分がなく、上面１０と略直交している側面３８０に、第２レリーズボタン３２１と、第２ズームレバー３２２とを設けてもよい。
【００８４】
（９）  上述の説明では、縦／横切替レバー３１３の切替位置を演算回路１０１で検出することで、電子カメラ１の姿勢が横位置であるか縦位置であるかを検出しているが。本発明はこれに限定されない。たとえば、電子カメラ１に角度位置センサを設け、角度位置センサから出力される角度位置の信号に基づいて演算回路１０１で電子カメラ１の姿勢を演算し、電子カメラ１の姿勢が横位置であるか縦位置であるかを決定するようにしてもよい。
【００８５】
（１０）  上述の説明では、電子カメラ１はデジタルスチルカメラであるが、動画の撮影が可能なカメラであってもよく、動画撮影専用の撮像装置であってもよい。
（１１）  上述した各実施の形態および変形例は、それぞれ組み合わせてもよい。
【００８６】
なお、本発明は、上述した実施の形態のものに何ら限定されず、把持部を有する第１の筐体と、レンズ鏡筒を有し、第1の筐体に対してレンズ鏡筒の光軸方向と略直交する回転軸心を中心として回動可能に取り付けられた第２の筐体と、第２の筐体に面する前記第１の筐体の第1面に設けられた第１のレリーズボタンと、第1面に隣接する第1の筐体の第2面に設けられた第2のレリーズボタンとを備える各種構造の撮像装置を含むものである。
【図面の簡単な説明】
【００８７】
【図１】第１の実施の形態の電子カメラ１の外観を示す図である。
【図２】第１の実施の形態の電子カメラ１の外観を示す図である。
【図３】背面側から見た電子カメラ１を示す図であり、（ａ）は横位置にされた電子カメラ１を示し、（ｂ）は縦位置にされた電子カメラ１を示す。
【図４】第１の実施の形態の電子カメラ１の構成を説明するブロック図である。
【図５】横位置にされた電子カメラ１が把持される状態を示す図である。
【図６】縦位置にされた電子カメラ１が把持される状態を示す図である。
【図７】第２の実施の形態の電子カメラ１の外観を示す図である。
【図８】第２の実施の形態の電子カメラ１の外観を示す図である。
【図９】背面側から見た電子カメラ１を示す図であり、（ａ）は横位置にされた電子カメラ１を示し、（ｂ）は縦位置にされた電子カメラ１を示す。
【図１０】第２の実施の形態の電子カメラ１の構成を説明するブロック図である。
【図１１】変形例を示す図である。
【図１２】変形例を示す図である。
【図１３】変形例を示す図である。
【符号の説明】
【００８８】
１  電子カメラ                            ２  撮像部
３  本体部                                １０１  演算回路
２００  筐体（撮像側筐体）                ３００  筐体（本体側筐体）
３１１  第１レリーズボタン                ３１２  第１ズームレバー
３１３  縦／横切替レバー                  ３１５  第１ズーム操作ダイヤル
３２１  第２レリーズボタン                ３２２  第２ズームレバー
３２５  第２ズーム操作ダイヤル            ３３１  ＤＥＬ／ＰＬＡＹボタン
３３２  ＭＥＮＵボタン                    ３３３  ＭＯＤＥボタン
３３４  ＰＬＡＹボタン                    ３３６  横位置把持部
３３７  縦位置把持部                      ３３８  液晶表示モニタ
３４１  ＤＥＬ／ＴＥＬＥボタン            ３４２  ＭＥＮＵ／ＷＩＤＥボタン
【図１】
2008064874.tif 000003
【図２】
2008064874.tif 000004
【図３】
2008064874.tif 000005
【図４】
2008064874.tif 000006
【図５】
2008064874.tif 000007
【図６】
2008064874.tif 000008
【図７】
2008064874.tif 000009
【図８】
2008064874.tif 000010
【図９】
2008064874.tif 000011
【図１０】
2008064874.tif 000012
【図１１】
2008064874.tif 000013
【図１２】
2008064874.tif 000014
【図１３】
2008064874.tif 000015